【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
段ボールの波目に垂直な方向に、波のピッチの1〜10倍の幅の押し罫を、前記波目に平行な方向に前記波のピッチの2〜10倍の間隔を空けて複数本入れることを特徴とする段ボールの反り防止方法。
【請求項２】
前記押し罫が、前記段ボールの波板を潰さずに、前記波目に平行な方向に凹部と凸部が交互に並ぶ波状の凹凸を形成するものである請求項１に記載の段ボールの反り防止方法。
【請求項３】
前記押し罫を、段ボールの波目に平行な側の端部から波のピッチの10〜100倍の長さで形成することを特徴とする請求項１又は２に記載の段ボールの反り防止方法。
【請求項４】
段ボールの波目に垂直な方向に、波のピッチの1〜10倍の幅の押し罫を、前記波目に平行な方向に前記波のピッチの2〜10倍の間隔を空けて複数本入れるための押し罫形成手段を備えることを特徴とする段ボール反り防止装置。
【請求項５】
前記押し罫形成手段が、前記段ボールの波目に垂直な方向に凸罫を入れるローラと、該凸罫に対応した凹罫を入れるローラとを備えることを特徴とする請求項４に記載の段ボール反り防止装置。
【請求項６】
段ボールの波目に垂直な方向に延伸する押し罫を、該段ボールの波板を潰さずに、前記波目に平行な方向に複数本並べて入れることにより、前記波目に平行な方向に凹部と凸部が交互に並ぶ波状の凹凸を形成することを特徴とする段ボールの反り防止方法。
【請求項７】
段ボールの波目に垂直な方向に延伸する押し罫を、該段ボールの波板を潰さずに、前記波目に平行な方向に複数本並べて入るための押し罫形成手段であって、前記段ボールの波目に垂直な方向に凸罫を入れるローラと、該凸罫に対応した凹罫を入れるローラとを有する押し罫形成手段を備えることを特徴とする段ボール反り防止装置。
【請求項８】
a)ロールから引き出された、波板と平板からなる段ボールシートを前記波板の波目と直交する方向に搬送する搬送手段と、
b)請求項４又は５又は７に記載の段ボール反り防止装置と、
c)前記段ボールシートに対して、波目と直交する方向に切り込みを入れる縦切装置と、
d)前記段ボールシートに対して、該段ボールシートの波目に沿う方向に切り込みを入れる横切装置と、
e)段ボール箱のサイズの情報を受け入れるサイズ設定手段と、
f)前記サイズの情報から段ボールブランクのサイズと前記縦切装置及び前記横切装置による切り込み位置を決定する切り込み位置決定手段と、
g)前記切り込み位置決定手段により決定された切り込み位置に基づき前記縦切装置及び前記横切装置を制御する制御手段と
を備えることを特徴とする段ボールブランク製造装置。
【請求項９】
前記段ボール反り防止装置が前記縦切装置及び前記横切装置の上流側に設けられていることを特徴とする請求項８に記載の段ボールブランク製造装置。
【手続補正２】
【補正対象書類名】明細書
【補正対象項目名】０００８
【補正方法】変更
【補正の内容】
【０００８】
上記課題を解決するために成された本発明に係る段ボールの反り防止方法は、
段ボールの波目に垂直な方向に、波のピッチの1〜10倍の幅の押し罫を、前記波目に平行な方向に波のピッチの2〜10倍の間隔を空けて複数本入れることを特徴とする。
【手続補正３】
【補正対象書類名】明細書
【補正対象項目名】００１３
【補正方法】変更
【補正の内容】
【００１３】
上記課題を解決するために成された本発明に係る段ボール反り防止装置は、
段ボールの波目に垂直な方向に、波のピッチの1〜10倍の幅の押し罫を、前記波目に平行な方向に前記波のピッチの2〜10倍の間隔を空けて複数本入れるための押し罫形成手段を備えることを特徴とする。
【手続補正４】
【補正対象書類名】明細書
【補正対象項目名】００１７
【補正方法】変更
【補正の内容】
【００１７】
【図１】本発明の一実施例である段ボール反り防止装置を備えた段ボールブランク製造装置の概略的な構成を示す平面図(a)、及び側面図(b)。
【図２】同実施例の段ボール反り防止装置の側面図(a)、及び正面図(b)。
【図３】同実施例の段ボール反り防止装置を備えた段ボールブランク製造装置によってブランクを製造する手順を示すフローチャート。
【図４】片面段ボールシートを処理する同実施例の段ボール反り防止装置の側面図(a)及び正面図(b)、並びに処理された1枚の片面段ボールシートの平面図(c)。
【図５】本発明の別の実施例である段ボール反り防止装置の正面図(a)、上ローラを下ローラに近づけた状態を示す図(b)、上ローラ及び下ローラと片面段ボールシートとの位置を示す側面図(c)、並びに処理された片面段ボールシートの平面図(d)及び正面図(e)。
【図６】段ボールブランクの各部の寸法の例を示す図。
【手続補正５】
【補正対象書類名】明細書
【補正対象項目名】００２７
【補正方法】変更
【補正の内容】
【００２７】
全ての設定が完了すると、制御装置７０は、所定のプログラムに従い搬送装置２０、段ボール反り防止装置５０、縦切装置３０、横切装置４０を制御する。具体的には、以下の通りである。
まず、搬送装置２０のローラコンベア２２ａによりロール状片段シートP1から片段シートPを一定速度vで引き出す（ステップＳ１３）。上ロールを下降させるタイミングになると、上ローラ上下動機構５７により上ローラ５１を、その押圧部５５ａ〜５５ｄの最大径部が下ローラ５２の押圧部５６ａ〜５６ｄの最大径部にほぼ接触する位置まで下ろし、片段シートPを両ローラ５２、５３の押圧部５５ａ−５６ａ、５５ｂー５６ｂ、５５ｃー５６ｃ、５５ｄ−５６ｄの間で押圧する（ステップＳ１４、図４参照）。その後、回転機構５８により上ローラ５１を片段シートPが搬送される速度vと同じ速度で回転駆動する。下ローラ５２は、片段シートPを介して上ローラ５１に従動して回転する（ステップＳ１５）。これによって、片段シートPには、図４(c)に示すような、波目と垂直な方向に4本の押し罫Q1が形成される。これらの押し罫Q1が、片段シートPの長手方向（搬送方向）に所定の長さBL1だけ形成され上ローラを上昇させるタイミングとなると、上ローラ上下動機構５７によって上ローラ５１を上げる（ステップＳ１６）。
【手続補正６】
【補正対象書類名】明細書
【補正対象項目名】００２９
【補正方法】変更
【補正の内容】
【００２９】
片段シートPの幅方向に切り込みを入れる場合は、その切り込み場所に来た時点で搬送装置２０を停止し、横切装置４０の左右移動機構４４により横切ユニット４３を上部のガイドレール４２上を切り込み開始位置まで移動させる。切り込み開始位置において横切刃上下動機構４５により切刃を片段シートP上に下ろし、左右移動機構４４により切り込み終了位置まで片段シートP上を移動させる。これにより、片段シートPに幅方向の切り込みが入れられる（ステップＳ１８）。この時、1枚の段ボールブランクの長手方向両端では片段シートPの全幅にわたって切り込みが入れられ各段ボールブランクに切り離される。こうして順次製造された段ボールブランクは、最終的には受け部（図示せず）にストックしてもよいし、下流にさらに設けた自動製函装置に搬送されてもよい。
【手続補正７】
【補正対象書類名】明細書
【補正対象項目名】００３０
【補正方法】変更
【補正の内容】
【００３０】
上記のように縦切装置３０、横切装置４０によって縦の切り込み、横の切り込みが入れられている間も、1枚のブランクのもう一方の端部（後端側）の上ロールを下降させるタイミングになると、上記のステップＳ１４〜Ｓ１６が行われる。本実施例では、切り込みが入れられる前に押し罫Q1が形成されるので、横切装置４０によってブランクとブランクの境界となる切り込みが入れられる部分（図１(a)のBの部分）では、上ロールは下降されたままに保たれ、2枚のブランクの両端にわたって連続的に押し罫Q1が形成される。
【手続補正８】
【補正対象書類名】明細書
【補正対象項目名】００３７
【補正方法】変更
【補正の内容】
【００３７】
１０…段ボールブランク製造装置
２０…搬送装置
２１…支持部
２２…ローラコンベア
３０…縦切装置
３１…支持台
３２…フレーム
３３…縦切ユニット
３４…左右移動機構
３５…縦切刃上下動機構
４０…横切装置
４１…支持台
４２…ガイドレール
４３…横切ユニット
４４…左右移動機構
４５…横切刃上下動機構
５０…段ボール反り防止装置
５１…上ローラ
５２…下ローラ
５３、５４…軸部
５５ａ〜５５ｄ、５６ａ〜５６ｄ…押圧部
５７、８５…上ローラ上下動機構
５８…回転機構
７０…制御装置
７１…コントロールパネル
８０…段ボール反り防止装置
８１…上ローラ
８２…凸部
８３…下ローラ
８４…凹部
８５…上ローラ上下動機構
P、P2…段ボールシート
P1…ロール状片段シート
Q1、Q2…押し罫